(57)【要約】【課題】表示画面を複数の表示領域に分割し、当該分割した表示領域に、それぞれ画像を表示する場合、前記表示領域の大きさに応じて、自動的に、画像の輪郭部を強調する輪郭強調処理を実行できる表示装置を提供すること。【解決手段】輪郭強調処理制御部１３ｂは、複数画面表示制御部１３ａが出力した分割した表示領域の大きさに係わる情報、及び、ＲＯＭ１４に記録されている補正係数テーブル（５１）を基に輝度信号のシュート値を変化させる。【選択図】図２
2009198864.tif 000002
【特許請求の範囲】
【請求項１】
表示装置の表示画面を複数の表示領域に分割し、当該分割した表示領域に対応した縮小画像を表示する複数画面表示手段と、表示画像の輪郭部に対応する画素の映像信号に対して、表示画像の輪郭部を強調する輪郭部強調手段とを備えた表示装置において、
前記分割した表示領域の大きさに対応して、前記輪郭部強調手段で実行される輪郭部強調処理の設定値を補正する補正係数が設定されたテーブルを記録するメモリを備え、
分割した表示領域の大きさに対応し、前記テーブルの補正係数に基づいて、前記輪郭部強調手段の設定値を補正し、補正した値に基づいて、輪郭部の強調処理を実行することを特徴とする表示装置。
【請求項２】
前記輪郭部強調手段の輪郭部強調処理がアンダーシュート処理及びオーバシュート処理よりなることを特徴とする請求項１に記載の表示装置。
【請求項３】
前記輪郭部強調手段の輪郭部強調処理が表示画像の輪郭部における輝度信号の変化の傾きを急峻にするＬＴＩ処理よりなることを特徴とする請求項１に記載の表示装置。
【請求項４】
前記輪郭部強調手段の輪郭部強調処理が表示画像の輪郭部における色差信号の変化の傾きを急峻にするＣＴＩ処理よりなることを特徴とする請求項１に記載の表示装置。
【請求項５】
前記縮小画像を表示する表示領域の大きさの変化に伴い前記輪郭部強調手段の設定値も変化するように構成したことを特徴とする請求項１〜４のいずれか１に記載の表示装置。
【請求項６】
前記補正した値をユーザ設定によりさらに調整できることを特徴とする請求項１〜５のいずれか１に記載の表示装置。
【発明の詳細な説明】
【技術分野】
【０００１】
本発明は、輪郭強調が可能な表示装置、特に、複数画面を表示する際に、最適な輪郭強調が可能な表示装置に関する。
【背景技術】
【０００２】
テレビジョン受信装置は、明暗、コントラストの調整機能、輪郭強調機能などの画像処理機能を有している。
前記機能のうち、輪郭強調は、一般にシャープネス（sharpness）と呼ばれ、画像のエッジ（高周波成分）を検出し、図５に示すように、検出した部分（輪郭部）を強調するものである。
【０００３】
図５（Ａ）の１００は、表示領域、１０１は、当該表示領域１００に表示されている画像、１０１ａは、当該画像１０１の強調処理対象の輪郭部である。
図５（Ｂ）は、図５（Ａ）の輪郭部１０１ａ（符号Ｐ）の輝度信号の変化の様子を示した図で、Ｌ１は、輪郭強調処理の実行前の輝度信号の変化を示し、Ｌ２は、輪郭強調処理実行後の輝度信号の変化を示している。
【０００４】
図５（Ｂ）からも明らかなように、輪郭部１０１ａ（符号Ｐ）の画素の輝度信号に対して、微分処理などに基づいて、アンダーシュートＵ、オーバシュートＯ処理を施し、輪郭部を強調する。ユーザは、このようなシャープネス機能を実行した場合、シャープネス調整部により前述のアンダーシュートＵ、オーバシュートＯのシュート値Ｈを調整して、最適な画質を得る。
このような、輪郭強調に係わる技術が特許文献１に開示されている。
【特許文献１】特開２０００−３２２９９号公報
【発明の開示】
【発明が解決しようとする課題】
【０００５】
ところで、現在では、表示装置の大画面化に伴い、同時に複数画面を表示する、いわゆるマルチ画面表示機能を有する表示装置が普及している。かかる表示装置において、例えば、２画面表示処理を実行すると、図５に示した表示領域１００等は、図６（Ａ）に示すように、２画面の表示領域２００Ｒ、２００Ｌに分割される。
【０００６】
そして、分割された表示領域２００Ｒに、図５に示した画像１０１全体を縮小し、縮小した画像の輪郭部に対して前述した輪郭強調処理を施した、輪郭部２０１ａを有する画像２０１を表示する。このように、縮小処理後、輪郭強調処理を実行するのは、輪郭強調効果を高めるためである。
【０００７】
ここで、図６（Ｂ）に、図６（Ａ）の輪郭部２０１ａ（符号Ｐ）の輝度信号の変化の様子を示した図を示す。
前述したように、輪郭部２０１ａ（符号Ｐ）の画素の輝度信号に対して、同様の微分処理などに基づいて、アンダーシュートＵ、オーバシュートＯ処理を施す。そして、アンダーシュートＵ、オーバシュートＯのシュート値Ｈは、前述の全画面表示に対応して調整された調整部により調整される。
【０００８】
つまり、前記画像２０１の輪郭部２０１ａでは、図５に示した画像１０１の輪郭部１０１ａと同じように、強調処理が施されるが（図６の符号Ｈ’参照）、全画面表示におけるシャープネス調整が必ずしも縮小画面表示に適切とは限らず、視覚的にも不自然な画像が表示されるということがあった。
このため、視聴者自らが、シャープネスの画質調整ボタンを再度操作する必要があり、煩雑であった。
【０００９】
本発明は、かかる実情に鑑みてなされたものであり、表示画面を複数の表示領域に分割し、当該分割した表示領域に、それぞれ画像を表示する場合、前記表示領域の大きさに応じて、自動的に、画像の輪郭部を強調する輪郭強調処理を実行できる表示装置を提供することを目的とする。
【課題を解決するための手段】
【００１０】
第１の技術的手段は、表示装置の表示画面を複数の表示領域に分割し、当該分割した表示領域に対応した縮小画像を表示する複数画面表示手段と、表示画像の輪郭部に対応する画素の映像信号に対して、表示画像の輪郭部を強調する輪郭部強調手段とを備えた表示装置において、前記分割した表示領域の大きさに対応して、前記輪郭部強調手段で実行される輪郭部強調処理の設定値を補正する補正係数が設定されたテーブルを記録するメモリを備え、分割した表示領域の大きさに対応し、前記テーブルの補正係数に基づいて、前記輪郭部強調手段の設定値を補正し、補正した値に基づいて、輪郭部の強調処理を実行することを特徴とする表示装置である。
【００１１】
第２の技術的手段は、第１の技術的手段において、前記輪郭部強調手段の輪郭部強調処理がアンダーシュート処理及びオーバシュート処理よりなることを特徴とするものである。
【００１２】
第３の技術的手段は、第１の技術的手段において、前記輪郭部強調手段の輪郭部強調処理が表示画像の輪郭部における輝度信号の変化の傾きを急峻にするＬＴＩ処理よりなることを特徴とするものである。
【００１３】
第４の技術的手段は、第１の技術的手段において、前記輪郭部強調手段の輪郭部強調処理が表示画像の輪郭部における色差信号の変化の傾きを急峻にするＣＴＩ処理よりなることを特徴とするものである。
【００１４】
第５の技術的手段は、第１〜第４のいずれか１の技術的手段において、前記縮小画像を表示する表示領域の大きさの変化に伴い前記輪郭部強調手段の設定値も変化するように構成したことを特徴とするものである。
【００１５】
第６の技術的手段は、第１〜第５のいずれか１の技術的手段において、前記補正した値をユーザ設定によりさらに調整できることを特徴とするものである。
【発明の効果】
【００１６】
本発明により、表示画面を複数の表示領域に分割し、当該分割した表示領域に、それぞれ縮小画像を表示する場合、前記表示領域の大きさに応じて、自動的かつ最適に、画像の輪郭部を強調することができるので、視覚的にも自然な画像を表示することができる。そして、視聴者自らが、複数画面表示時にシャープネス等の画質調整ボタンを操作して、適切な輪郭強調を行う必要がなくなるので、利便性が向上する。
【発明を実施するための最良の形態】
【００１７】
図１は、本発明に係わる、複数画面表示に対応した輪郭強調処理を実行できる表示装置によって、図５で示した表示領域１００を、例えば２画面用の表示領域３００に分割し、各領域に画像３０１を表示した状態を示した図である。前記表示装置によって、２画面用の表示領域３００の大きさ（表示領域の縦方向の画素数及び／又は同横方向の画素数）に応じて、適切に画像３０１の輪郭部３０１ａを強調することができる。なお、説明の便宜のため、４角形の輪郭部のみを強調したが、４角形内部の円形の輪郭部も強調できることはいうまでもない。
【００１８】
図２は、図１で説明した、本発明に係わる表示装置１のブロック図の一例である。
１１は、チューナー等から表示装置１に入力された画像データに所定の処理を施し、当該所定の処理を施した画像データを画像メモリ１２に展開する処理を実行する画像データ入力部である。
【００１９】
１３は、画像メモリ１２に展開された画像データに、明暗、コントラスト等の各種画像処理を施す表示制御部である。
表示制御部１３は、表示装置の表示画面を、２画面、４画面などの複数の表示領域に分割し、当該分割した表示領域に対応した縮小画像を表示する処理を実行する複数画面表示制御部（複数画面表示手段）１３ａと、表示領域の大きさに応じて、表示画像の輪郭部を、例えばエッジを検出することで強調する輪郭強調処理を実行する輪郭強調処理制御部（輪郭部強調手段）１３ｂと、輪郭部の強調の度合いを手動で調整、つまり、シャープネスを手動調整するためのシャープネス調整部１３ｃとを有する。
１４は、前述した、輪郭強調処理の実行時に参照される補正係数などを記憶するＲＯＭである。
なお、複数画面表示制御部１３ａ、輪郭強調処理制御部１３ｂ、シャープネス調整部１３ｃ、ＲＯＭ１４に記録されている補正係数の詳細な説明は、後述する。
【００２０】
１５は、ユーザが、表示装置１を操作するための操作部で、操作部１５を介してユーザは、複数画面表示の実行、表示画像のコントラスト等の調整を表示装置１に指示する。
【００２１】
１６は、画像データ出力部で、画像メモリ１２に展開された画像データを表示部１７に表示するために必要となる各種画像処理を当該画像データに施して、表示部１７に出力する処理を制御する。
【００２２】
ここで、複数画面表示制御部１３ａ、輪郭強調処理制御部１３ｂ、シャープネス調整部１３ｃ、ＲＯＭ１４に記録されている補正係数について説明する。
複数画面表示制御部１３ａは、操作部１５からの指示を受けて、前述のように、１画面を、２画面、４画面などの複数の表示領域に分割し、当該分割した表示領域に、それぞれ画像を表示する処理を実行する。
そして、画面を分割したことを示す情報、及び、分割した表示領域の大きさ（表示領域の縦方向の画素数及び／又は同横方向の画素数）に係わる情報を輪郭強調処理制御部１３ｂに出力する。
【００２３】
なお、前記表示領域の大きさではなく、前記領域の数（２画面、４画面など）を出力してもよい。また、複数画面表示処理は、従来から提案されている様々な方法を採用することができる。
【００２４】
輪郭強調処理制御部１３ｂは、複数画面表示制御部１３ａが出力した、画面を分割したことを示す情報及び分割した表示領域の大きさに係わる情報を受信すると、分割した表示領域の大きさに応じて、表示画像の輪郭部を強調する輪郭強調処理を実行する。
つまり、輪郭強調処理制御部１３ｂは、複数画面表示制御部１３ａによって分割された表示領域の大きさに応じて、画像の輪郭部に対応する画素の映像信号、例えば輝度信号に対して、アンダーシュートＵ、オーバシュートＯ処理を施す際に、前記分割した表示領域の大きさに対応して、アンダーシュートＵ処理及びオーバシュートＯ処理のシュート値を補正する補正係数に基づいて、例えば、図６の符号Ｈ’で示す輝度信号のシュート値を変化（補正）する。
具体的には、輪郭強調処理制御部１３ｂは、複数画面表示制御部１３ａが出力した分割した表示領域の大きさに係わる情報、及び、ＲＯＭ１４に記録されている、当該制御部１３ｂで実行される輪郭部強調処理の設定値を補正する補正係数が設定された図３に示す補正係数テーブル５１を基に輝度信号のシュート値を変化させる。
【００２５】
例えば、図３に示したように、１画面表示において（表示領域の大きさＸ）、符号Ｈの値がＶ（輪郭部強調処理の設定値）の場合、前記１画面表示を２画面表示にすると（表示領域の大きさＸ／２）、前記符号Ｈの値ＶをＶ／２（補正係数１／２）に設定する。同様に、４画面表示にすると（表示領域の大きさＸ／４）、前記符号Ｈの値をＶ／４（補正係数１／４）に設定する。
そして、前記設定した値に基づいて、前記画像の輪郭部付近に対応する画素の輝度信号に対して、アンダーシュートＵ、オーバシュートＯ処理を施して、輪郭強調処理を実行する。
つまり、輪郭強調処理制御部１３ｂは、分割した表示領域の大きさに対応し、補正係数テーブル５１の設定に基づいて、シュート値を補正し、補正した値に基づいて、輪郭部強調処理を実行する。
なお、変化させる値としては、シュートの対象となる画素数、すなわち、シュート幅を変更するようにしてもよい。
また、縮小画像を表示する表示領域の大きさの変化に伴い、輪郭部強調処理の設定値（Ｖ）も変化させることもできる。
【００２６】
シャープネス調整部１３ｃは、操作部１５からの指示を受けて、前記補正した値（補正したシュート値）を調整する。つまり、前記補正した値をユーザ設定によりさらに調整できる。そして、当該調整した値に基づいて、変化させた輝度信号を画像メモリ１２に出力する。このようにすることで、ユーザの好みにより適したシャープネスに調整することができる。
【００２７】
次に、前述した輪郭強調処理を、図４のフロー図を用いて説明する。
ここでは、１画面表示から、２画面表示に表示画面を切り換える場合について説明するが、例えば、１画面表示から、４画面表示に表示画面を切り換える場合も同様である。
ユーザが、操作部１５を介して、表示装置１に対して、表示画面を２画面表示に切り換えるように指示すると（ステップＳ１）、複数画面表示制御部１３ａは、操作部１５からの指示を受けて、２画面表示に切り換える（ステップＳ２）。
【００２８】
複数画面表示制御部１３ａは、画面を分割したことを示す情報、及び、分割した表示領域の大きさに係わる情報を輪郭強調処理制御部１３ｂに出力する（ステップＳ３）。
前記情報を受信した輪郭強調処理制御部１３ｂは、表示領域の大きさに応じて、画像の輪郭部を強調する輪郭強調処理を実行する（ステップＳ４）。
【００２９】
このようにすることで、複数画面における各表示領域の大きさに応じて、自動的に、画像の輪郭部を強調することができるので、視覚的にも自然な画像を表示することができる。
【００３０】
なお、本実施例では、輝度信号を基に輪郭強調処理を実行したが、他の映像信号、例えば、クロマ信号を基に輪郭強調処理を実行してもよい。
本発明は、ＰｉｎＰ等を実行した場合などにも適用できる。さらに、ズーム等により、表示領域の大きさの変化はないが、当該表示領域に表示されている画像の大きさが変化した場合にも、当該大きさが変化した画像の輪郭部を最適に強調するようにしてもよい。
【００３１】
本実施例ではアンダーシュート処理及びオーバシュート処理を施して輪郭部強調処理を行うことについて説明してきたが、輪郭部強調処理（手段）としてはこれらに限られることなく、例えば、輪郭部分での輝度信号の変化の傾きを急峻にして輝度信号の立ち上がり特性を改善するLTI（Luminance Transient Improvement）処理や、輪郭部分での色差信号の変化の傾きを急峻にしてクロマ信号の立ち上がり特性を改善するCTI（Color Transient Improvement）処理などの手法を含むことは言うまでもない。
前記手法を採用する場合には、表示領域の大きさに応じて、前記変化の傾きを変更する。具体的には、輪郭強調処理制御部１３ｂは、表示領域の大きさに応じて、図３に示す補正係数テーブル５１の補正係数を前記変化の傾きに乗算する。
なお、本発明に係わる表示装置にテレビジョン受信装置を搭載することができる。
【図面の簡単な説明】
【００３２】
【図１】２画面表示時などに実行される、本発明に係わる輪郭強調処理を説明するための図である。
【図２】本発明に係わる表示装置のブロック図の一例である。
【図３】補正係数テーブルの一例である。
【図４】本発明に係わる輪郭強調処理を説明するためのフロー図である。
【図５】従来の、輪郭強調処理を説明するための図である。
【図６】従来の、２画面表示時に実行される輪郭強調処理を説明するための図である。
【符号の説明】
【００３３】
１…表示装置、１１…画像データ入力部、１２…画像メモリ、１３…表示制御部、１３ａ…複数画面表示制御部、１３ｂ…輪郭強調処理制御部、１３ｃ…シャープネス調整部、１４…ＲＯＭ、１５…操作部、１６…画像データ出力部、１７…表示部、１００、２００Ｒ、２００Ｌ、３００…表示領域、１０１、２０１、３０１…画像、１０１ａ、２０１ａ、３０１ａ…輪郭部、５１…補正係数テーブル。
【図１】
2009198864.tif 000003
【図２】
2009198864.tif 000004
【図３】
2009198864.tif 000005
【図４】
2009198864.tif 000006
【図５】
2009198864.tif 000007
【図６】
2009198864.tif 000008